(57)【要約】【課題】水平見切り部と垂直見切り部の幅とが異なる場合であっても、外観性よく、かつ、簡単に現場施工できる見切り縁用コーナーキャップを提供する。【解決手段】窓上と窓下とに配設される横枠側見切り縁１と、窓の左右横側に側設される縦枠側見切り縁２とを当接して形成される枠体において、上記横枠側見切り縁１を構成する水平見切り部１１の幅Ｗと縦枠側見切り縁２を構成する垂直見切り部２１の幅Ｄとが異なるとき、上記当接角部に嵌合装着される平面視Ｌ字型のコーナーキャップ３の水平片３１の幅Ｗと上記水平見切り部１１の幅Ｗとを略同一とするとともに、該Ｌ字型のコーナーキャップ３の垂直片３２の幅Ｄと上記垂直見切り部２１の幅Ｄとを略同一としたことを特徴とする見切り縁用コーナーキャップ。【選択図】図１
2011026847.tif 000002
【特許請求の範囲】
【請求項１】
窓上と窓下とに配設される横枠側見切り縁と、窓の左右横側に側設される縦枠側見切り縁とを当接して形成される枠体において、上記横枠側見切り縁を構成する水平見切り部の幅と縦枠側見切り縁を構成する垂直見切り部の幅とが異なるとき、上記当接角部に嵌合装着される平面視Ｌ字型のコーナーキャップの水平片の幅と上記水平見切り部の幅とを略同一とするとともに、該Ｌ字型のコーナーキャップの垂直片の幅と上記垂直見切り部の幅とを略同一としたことを特徴とする見切り縁用コーナーキャップ。
【請求項２】
窓上と窓下とに配設される横枠側見切り縁と、窓の左右横側に側設される縦枠側見切り縁とを当接して形成される枠体において、上記横枠側見切り縁を構成する水平見切り部の幅と縦枠側見切り縁を構成する垂直見切り部の幅とが異なるとき、上記当接角部に嵌合装着される平面視Ｌ字型のコーナーキャップの水平片の幅と上記水平見切り部の幅とを略同一とし、該コーナーキャップの水平片の上下端縁に嵌合保持爪を形成するとともに、上記Ｌ字型のコーナーキャップの垂直片の幅と上記垂直見切り部の幅とを略同一とし、該コーナーキャップの垂直片の左右端縁に嵌合保持爪を形成したことを特徴とする見切り縁用コーナーキャップ。
【発明の詳細な説明】
【技術分野】
【０００１】
本願発明は開口部と外装材の端部との見切り構造に関し、詳しくは、開口部を形成する枠体と外装材との間の部分を納める見切り縁の角部を納める構造に関するものである。
【背景技術】
【０００２】
通常、建物に窓等の部位を設ける際は、躯体に開口部を設けてこの開口部に枠体、例えば、サッシ枠を嵌めこみ、窓本体をセットして採光用、掃き出し用窓等各種の窓を施工することが行われている。このとき、上記開口部を形成する窓上の枠には、建物の外壁を伝って内部に水が浸入することを防ぐために、底面部に水抜き孔を設けた見切り縁が使用されている。
【０００３】
すなわち、本願図３の部分断面説明図に示すように、窓上の横枠を構成する横枠側見切り縁１は、断面略Ｊ字型であり、見切り部を構成する水平見切り部１１と折曲部を有する底面部１２と見切りベース部１３とからなるとともに、外装材６は水平見切り部１１と見切りベース部１３との間に嵌装され、底面部１２に設けられた載置部１２１で支持される。
【０００４】
上記外装材６はサイディング材、無機質板等から形成されるとともに、上記のようにして屋外側に配置され、外装材６に降りかかる雨水や結露水は、外勾配に形成された水平見切り部１１が水切り機能を発揮して、水が内部に浸入することを防いでいる。しかしながら、外装材６の表面を伝わって浸入する水等を完全に防止することは困難であるため、水平見切り部１１の内側に浸入した水は、上記底面部１２の折曲部に設けられた水抜き孔５から下方へ流れ落ちるようにされている。
【０００５】
一方、図示は省略するが、開口部の縦枠を構成する縦枠側見切り縁は、上記と同様に断面略Ｊ字型とされるが、底面部に相当する部分は平坦で、かつ、水抜き孔５が設けられることなく窓の左右横側に配置され、窓上と窓下とに設けられる横枠側見切り縁１と共に開口部の内側で枠体を形成する。
【０００６】
一方、上記見切り縁の構造としては、特開平１１−３０３３５９号公報が公知である。上記公報には、水抜き孔を有するサッシ枠と壁材との間を断面略Ｊ字型の見切り縁部材にて納められてなる見切り縁構造であって、上記見切り縁部材の一端より外方へ傾斜させた水切り片を形成し、さらに、この水切り片を折り返して上記壁材の表面端部を押さえ固定する押さえ片を形成しているものであることを特徴とする見切り縁構造が開示されている。
【０００７】
そして、部品点数を減らしながら、簡単に水切りを行うようにすることができるため現場での施工が容易となる、とその効果が述べられている。
【先行技術文献】
【特許文献】
【０００８】
【特許文献１】特開平１１−３０３３５９号公報
【発明の概要】
【発明が解決しようとする課題】
【０００９】
ところで、上記図３に記載の横枠側見切り縁１と図示しない縦枠側見切り縁とは四隅で突き合わされて枠体を形成するが、このとき、横枠側見切り縁１の水平見切り部１１の幅と縦枠側見切り縁の見切り部を構成する垂直見切り部の幅とが同一である場合、単一幅を有する平面視略Ｌ字型のコーナーキャップを４個の角部に装着することにより、外観性よく、水平見切り部と垂直見切り部とを納めることができる。
【００１０】
しかしながら、上記横枠側見切り縁１の水平見切り部１１と縦枠側見切り縁の垂直見切り部の幅とが異なる場合、単一幅を有する平面視略Ｌ字型のコーナーキャップを用いたとき、いずれかの側にギャップが生じて見映えが悪くなり、かつ、水に対するシール性が劣るという問題がある。
【００１１】
本願発明は上記背景技術に鑑みて発明されたものであり、建物の躯体に開口部を設け、窓等を装着するための枠体を形成する際、上下に配設される横枠側見切り縁の水平見切り部の幅と左右に配設される縦枠側見切り縁の垂直見切り部の幅とが異なる場合であっても、外観性よく、かつ、簡単に現場施工できる見切り縁用コーナーキャップを提供することを、その目的とする。
【課題を解決するための手段】
【００１２】
上記課題を解決するために、本願請求項１に記載の第１発明に係る見切り縁用コーナーキャップは、窓上と窓下とに配設される横枠側見切り縁と、窓の左右横側に側設される縦枠側見切り縁とを当接して形成される枠体において、上記横枠側見切り縁を構成する水平見切り部の幅と縦枠側見切り縁を構成する垂直見切り部の幅とが異なるとき、上記当接角部に嵌合装着される平面視Ｌ字型のコーナーキャップの水平片の幅と上記水平見切り部の幅とを略同一とするとともに、該Ｌ字型のコーナーキャップの垂直片の幅と上記垂直見切り部の幅とを略同一としたことを特徴としている。
【００１３】
上記当接角部に嵌合装着される平面視Ｌ字型の見切り縁用コーナーキャップとしては硬質樹脂、例えば、硬質塩化ビニル樹脂、硬質ポリエチレン、ポリプロピレン、ポリカーボネート、ＡＢＳ樹脂等から一体的に成形したものが用いられる。あるいは、鋼板、ステンレススティール、アルミ等の金属板を成形して用いてもよい。
【００１４】
本願請求項２に記載の第２発明に係る見切り縁用コーナーキャップは、窓上と窓下とに配設される横枠側見切り縁と、窓の左右横側に側設される縦枠側見切り縁とを当接して形成される枠体において、上記横枠側見切り縁を構成する水平見切り部の幅と縦枠側見切り縁を構成する垂直見切り部の幅とが異なるとき、上記当接角部に嵌合装着される平面視Ｌ字型のコーナーキャップの水平片の幅と上記水平見切り部の幅とを略同一とし、該コーナーキャップの水平片の上下端縁に嵌合保持爪を形成するとともに、上記Ｌ字型のコーナーキャップの垂直片の幅と上記垂直見切り部の幅とを略同一とし、該コーナーキャップの垂直片の左右端縁に嵌合保持爪を形成したことを特徴としている。
【００１５】
上記平面視Ｌ字型の見切り縁用コーナーキャップの水平片の上下端縁と垂直片の左右端縁とに各々形成される嵌合保持爪は弾性を有することが望ましいものであり、上記見切り縁用コーナーキャップ本体と共に上記した各種弾性を有する硬質樹脂あるいは、金属板から一体的に成形したものが用いられる。
【発明の効果】
【００１６】
本願請求項１記載の第１発明に係る見切り縁用コーナーキャップにおいては、開口部を形成する枠体において、横枠側見切り縁を構成する水平見切り部の幅と縦枠側見切り縁を構成する垂直見切り部の幅とが異なるとき、横枠側と縦枠側とが当接する角部に平面視Ｌ字型のコーナーキャップの水平片の幅と上記水平見切り部の幅とを略同一とし、該Ｌ字型のコーナーキャップの垂直片の幅と上記垂直見切り部の幅とを略同一としてコーナーキャップを嵌合装着するため、当接角部が違和感なくＬ字型に納められ、窓等をセットするための開口部を外観性よく仕上げることができる。
【００１７】
本願請求項２記載の第２発明に係る見切り縁用コーナーキャップにおいては、開口部を形成する枠体において、横枠側見切り縁を構成する水平見切り部の幅と縦枠側見切り縁を構成する垂直見切り部の幅とが異なるとき、横枠側と縦枠側とが当接する角部に平面視Ｌ字型のコーナーキャップの水平片の幅と上記水平見切り部の幅とを略同一とし、該Ｌ字型のコーナーキャップの垂直片の幅と上記垂直見切り部の幅とを略同一としてコーナーキャップを嵌合装着するため、当接角部が違和感なくＬ字型に納められ、窓等をセットするための開口部を外観性よく仕上げることができる。
【００１８】
また、上記見切り縁用コーナーキャップの水平片の上下端縁には弾性嵌合保持爪が形成され、垂直片の左右端縁には嵌合保持爪が形成されているため、上下一対の嵌合保持爪は、横枠側の水平見切り部に外れることなくしっかりと嵌着し、かつ、左右一対の嵌合保持爪が弾性を有する場合は縦枠側の垂直見切り部に外れることなく弾性的にしっかりと嵌着することができる。
【図面の簡単な説明】
【００１９】
【図１】窓上に横設される横枠側見切り縁と、窓の左側に側設される縦枠側見切り縁とを当接してなる角部に本願第１発明にかかる見切り縁用コーナーキャップを装着する状態を示す分解部分斜視図。
【図２】本願第２発明にかかる見切り縁用コーナーキャップを示す斜視図。
【図３】窓上の横枠を構成する公知の横枠側見切り縁を示す部分断面説明図。
【発明を実施するための形態】
【００２０】
以下、本願第１発明にかかる見切り縁用コーナーキャップの実施形態について図面を参照して詳細に説明する。図１は、窓上に横設される横枠側見切り縁１と、窓の左側に側設される縦枠側見切り縁２とを当接してなる角部に見切り縁用コーナーキャップ３を装着する状態を示す分解部分斜視図である。
【００２１】
図１に示すように、上記見切り縁用コーナーキャップ３は、平面視Ｌ字型とされ、断面コ字型の水平片３１と断面コ字型の垂直片３２とからなっている。また、上記横枠側見切り縁１は、断面略Ｊ字型とされ、水平見切り部１１と折曲部を有する底面部１２と見切りベース部１３とからなるとともに、図外外装材は水平見切り部１１と見切りベース部１３との間に嵌装される。
【００２２】
図１に示すように、底面部１２の一部と水平見切り部１１の一部とを折曲して水平載置部１２１が形成され、図外外装材の下端は水平載置部１２１に部分的に載置されて下端全体が底面に触れることを防ぎ、外装材の表面を伝わって浸入した水が、水抜き孔５から容易に排出されるようにされている。
【００２３】
一方、上記縦枠側見切り縁２は、同じく断面略Ｊ字型とされ、垂直見切り部２１と底面部２２と見切りベース部２３とから構成されている。ここで、定尺幅の帯鋼を加工して横枠側見切り縁１と縦枠側見切り縁２とを形成するとき、垂直見切り部２１の幅Ｄは、上記水平載置部１２１を設けることにより短くなった横枠側見切り縁１の水平見切り部１１のＷよりも大となり、上記水平見切り幅Ｗと垂直見切り幅Ｄとは異なったものとなる。
【００２４】
ここで、平面視Ｌ字型の見切り縁用コーナーキャップ３の水平片３１の幅Ｗと横枠側見切り縁１を構成する水平見切り部１１の幅Ｗとは略同一とされ、上記見切り縁用コーナーキャップ３の垂直片３２の幅Ｄと縦枠側見切り縁２の垂直見切り部２１の幅Ｄとは略同一とされ、図１に白抜き矢印で示すように、見切り縁用コーナーキャップ３は、上記水平見切り部１１と垂直見切り部２１とが当接してなる角部に装着される。
【００２５】
上記見切り縁用コーナーキャップ３は、弾性を有する材料、例えば、硬質塩化ビニル樹脂、アルミニウム薄板を一体的に成形してなる場合は、断面コ字型の水平片３１は水平見切り部１１にタイトに弾性嵌合するとともに、断面コ字型の垂直片３２は垂直見切り部２１にタイトに弾性嵌合し、かくして、水平見切り部１１と垂直見切り部２１とが当接してなる角部に、見切り縁用コーナーキャップ３はしっかりと嵌着する。
【００２６】
図２は、本願第２発明にかかる見切り縁用コーナーキャップ４を示す斜視図である。図２において、上記見切り縁用コーナーキャップ４の水平片４１の上下端縁には弾性嵌合保持爪４１１が形成されるとともに、垂直片４２の左右端縁には弾性を有する嵌合保持爪４２１が形成され、一方の一対の弾性を有する嵌合保持爪４１１は、図１における水平見切り部１１に弾性的に嵌合し、かつ、他方の一対の弾性を有する嵌合保持爪４２１は、図１における垂直見切り部２１に弾性的に嵌合する。
【００２７】
上記弾性を有する嵌合保持爪４１１と弾性を有する嵌合保持爪４２１とは、第１発明と同様に、硬質塩化ビニル樹脂等の弾性樹脂から見切り縁用コーナーキャップ４本体と一体的に成形されているため、水平見切り部１１と垂直見切り部２１とにしっかりと嵌合して保持する。かくして、見切り縁用コーナーキャップ４は水平見切り部１１と垂直見切り部２１とが当接してなる角部に弾性的に嵌着することができる。
【００２８】
以上述べたように、躯体の開口部を形成する横枠側見切り縁１の水平見切り部１１の幅Ｗと縦枠側見切り縁２の垂直見切り部２１の幅Ｄとが異なる場合でも、本願発明の見切り縁用コーナーキャップを用いることにより、当接角部が違和感なくＬ字型に納められ、窓等をセットする開口部を外観性よく仕上げることができる。
【００２９】
なお、上記した実施形態は、垂直見切り部２１の幅Ｄが、水平見切り部１１の幅Ｗよりも大きい例について述べたが、これに限られず、水平見切り部１１の幅
Ｗが垂直見切り部２１の幅Ｄよりも大きい場合についても本願発明の見切り縁用コーナーキャップは適用可能である。このように本願発明に係る見切り縁用コーナーキャップは、設計変更自在であり、特許請求の範囲を逸脱しない限り、いずれの場合も本願発明の技術的範囲に属する。
【符号の説明】
【００３０】
１      横枠側見切り縁
１１    水平見切り部
１２    底面部
１２１  水平載置部
１３    見切りベース部
２      縦枠側見切り縁
２１    垂直見切り部
２２    底面部
２３    見切りベース部
３      第１発明に係る見切り縁用コーナーキャップ
３１    水平片
３２    垂直片
４      第２発明に係る見切り縁用コーナーキャップ
４１    水平片
４１１  嵌合保持片
４２    垂直片
４２１  嵌合保持片
５      水抜き孔
６      外装材
Ｗ      平面視Ｌ字型の見切り縁用コーナーキャップの水平片の幅
ｗ      水平見切り部の幅
Ｄ      平面視Ｌ字型の見切り縁用コーナーキャップの垂直片の幅
ｄ      垂直見切り部の幅
【図１】
2011026847.tif 000003
【図２】
2011026847.tif 000004
【図３】
2011026847.tif 000005